(57)【要約】【課題】隠蔽される部位を印刷により隠蔽するのではなく、極めて簡単な方法で当該隠蔽される部位を隠蔽でき、コストも大幅に低減することができるスクラッチシール及びこのスクラッチシールが貼付された印刷物を提供する。【解決手段】透明な素材によりシート状に成形された基材３と、この基材３の一面に形成されスクラッチ性の隠蔽層４と、上記基材３の隠蔽層４が形成された面とは反対側の面に形成された透明な接着層５と、を備えてなる。【選択図】        図２
0003108595.tif 000002
【実用新案登録請求の範囲】
【請求項１】
透明な素材によりシート状に成形された基材と、この基材の一面に形成されスクラッチ性の隠蔽層と、上記基材の隠蔽層が形成された面とは反対側の面に形成された透明な接着層と、を備えてなることを特徴とするスクラッチシール。
【請求項２】
前記請求項１記載のスクラッチシールが剥離シートに剥離可能に貼付されてなることを特徴とするスクラッチシール。
【請求項３】
前記請求項１記載のスクラッチシールが隠蔽されるべき部位に貼付されてなることを特徴とする葉書，チラシ又はパンフレット等の印刷物。
【考案の詳細な説明】
【技術分野】
【０００１】
本考案は、例えば、コインや爪等により剥離されるスクラッチ性の隠蔽層が形成されたスクラッチシール及びこのスクラッチシールが貼付された印刷物に関するものである。
【背景技術】
【０００２】
これまで、葉書やチラシ等の印刷物において、その記載内容が隠蔽されるべき部位には、スクラッチ性の隠蔽層が直接印刷されており、印刷物を受け取った者が当該隠蔽層をコイン等により剥離し、隠蔽された記載内容を確認する方法が採用されている。
【考案の開示】
【考案が解決しようとする課題】
【０００３】
しかしながら、上述した方法では、上記隠蔽されるべき内容が印刷された印刷物が多量に印刷される場合ではなく、ごく少量の印刷物を印刷する場合や、隠蔽されるべき内容が個別的或いは少量である場合には、極めて高コストとなる場合が多い。
【０００４】
そこで、本考案は、上述した従来の課題を解決するために提案されたものであって、隠蔽される部位を印刷により隠蔽するのではなく、極めて簡単な方法で当該隠蔽される部位を隠蔽でき、コストも大幅に低減することができるスクラッチシール及びこのスクラッチシールが貼付された印刷物を提供することを目的とするものである。
【課題を解決するための手段】
【０００５】
本考案は、上述した目的を達成するために提案されたものであり、第１の考案（請求項１記載の考案）は、スクラッチシールに係るものであって、透明な素材によりシート状に成形された基材と、この基材の一面に形成されスクラッチ性の隠蔽層と、上記基材の隠蔽層が形成された面とは反対側の面に形成された透明な接着層と、を備えてなることを特徴とするものである。
【０００６】
この第１の考案に係るスクラッチシールは、基材と、隠蔽層と、接着層とを備えてなるものであり、上記基材は、隠蔽されるべき印刷内容或いは記載内容が隠蔽層を剥離した際に透けて目視できるよう透明であることが必要であるとともに、シート状に成形されている必要がある。なお、こうした透明でシート状の基材としては、例えば、ポリエステルフィルム、ポリ塩化ビニルフィルム、ポリエチレンフィルム、ポリプロピレンフィルム、或いはセロファンフィルムを使用することができる。また、この基材の形状は特に限定されるものではなく、例えば、長方形状、正方形状、円形状、三角形状等、任意の形状とすることができる。また、上記隠蔽層は、従来の所謂スクラッチカードに適用されているものを利用することができ、金属粉末や顔料或いは染料等の隠蔽性を持つ物質とバインダーとを混合した塗料を上記基材の表面に塗布したものである。また、この隠蔽層を塗料により塗布する場合には、ポリエステル樹脂、ウレタン樹脂、アクリル樹脂等の合成樹脂やゴム等を使用することができ、適宜ワックス、シリコーン樹脂やオイル等を添加したものとすることもできる。なお、この隠蔽層の厚さも従来のスクラッチカードに塗布されている厚さと同じ程度のものとすれば良い。
【０００７】
また、第２の考案（請求項２記載の考案）は、前記第１の発明に係るスクラッチシールが剥離シートに剥離可能に貼付されてなることを特徴とするものである。
【０００８】
上記剥離シートは、上記スクラッチ型隠蔽シールを構成する接着層において剥離可能に接着されているものであり、紙等の基材に剥離層が積層されたものである。
【０００９】
また、第３の考案（請求項３記載の考案）は、葉書，チラシ又はパンフレット等の印刷物に係るものであって、前記第１の考案に係るスクラッチシールが隠蔽されるべき部位に貼付されてなることを特徴とするものである。
【考案の効果】
【００１０】
上記第１の考案（請求項１記載の考案）に係るスクラッチシールや第３の考案（請求項３記載の考案）によれば、使用者は隠蔽されることを望む任意の部位に貼付することができるので、僅かな枚数の印刷物であっても該スクラッチ型隠蔽シールにより隠蔽した状態で発送し又は配布することができ、これまでのように印刷により隠蔽層を形成していた方法による場合に比べて遥かに安価なものとすることができる。
【００１１】
また、第２の考案（請求項２記載の考案）によれば、剥離シートからスクラッチシールを剥離し、印刷物等であって隠蔽したい部位に簡単に貼付することができ、取り扱いも極めて容易となる。
【考案を実施するための最良の形態】
【００１２】
以下、本考案を実施するための最良の形態に係るスクラッチシール１を、図面を参照しながら詳細に説明する。
【００１３】
このスクラッチシール１は、図１に示すように、長方形状に成形された剥離シート２に、（この例では）全部で１５枚貼付されている。上記剥離シート２は、表面に図示しない剥離層が形成されており、上記個々のスクラッチシール１は、この剥離層に貼付されている。そして、この剥離シート２に貼付された個々のスクラッチシール１は、図２に示すように、基材３と、この基材３の上面に形成された隠蔽層４と、上記基材３の裏面に形成された接着層５とから構成されている。
【００１４】
上記基材３は、ポリエステルフィルム又はポリ塩化ビニルフィルム等の透明な樹脂により長方形状で且つ数十ミクロンの肉厚からなるシート状に成形されてなるものである。また、上記隠蔽層４は、アクリル樹脂、塩化ゴム系樹脂等の樹脂に該隠蔽層が剥離し易くするためのシリコンオイル又は脂肪酸アミド等が添加されてなるとともに適当な有機溶剤で塗液化したものをグラビア印刷コーティング又はロールコーティング等の公知の塗布方式により形成されてなるものである。また、上記接着層５は、従来接着剤として使用されているものであり、本例では、アクリル系粘着剤又はゴム系粘着剤等の粘着剤が塗布されている。
【００１５】
そして、上述したスクラッチシール１は、例えば、図３に示すように、印刷物６の隠蔽部６ａに貼付して使用される。この印刷物６は、正面（及び裏面）に広告内容が印刷されたものであり、上記スクラッチシール１により隠蔽されるべき隠蔽部（「上カルビ１０円！！」の文字が記載されている範囲）６ａが形成されている。なお、この隠蔽部６ａは、このように他の広告内容と共に印刷されている必要は無く、手で記載することにより表示されているものであっても良い。すなわち、上記スクラッチシール１により上記印刷物６に印刷又は記載された上記隠蔽部６ａを隠蔽する場合には、上記剥離シート２から上記スクラッチシール１を剥離し、上記印刷物６の隠蔽部６ａに貼付する。こうした作業により、上記隠蔽部６ａは、スクラッチシール１により隠蔽され、外部からは「上カルビ１０円！！」の文字を視認することはできない。なお、上記印刷物６は、上述した「上カルビ１０円！！」の文字が印刷され或いは記載されているもの以外に、「ドリンクサービス」とか「ハズレ」等の他の文字が印刷されているものも用意し、こうした文字が記載されている部位（隠蔽部６ａ）にも上記スクラッチシール１を貼付し配布する。
【００１６】
そして、上述した印刷物６が配布された者が、図示しないコインや爪等により、上記スクラッチシール１を構成する隠蔽層４を剥離すると、透明な基材３を介して上記隠蔽部６ａを視認することができる。
【００１７】
したがって、こうしたスクラッチシール１によれば、使用者（印刷物６を発送し又は配布する者）は隠蔽されることを望む任意の部位（隠蔽部６ａ）に貼付することができるので、僅かな枚数の印刷物６であっても該スクラッチシール１により隠蔽部６ａを隠蔽した状態で発送し又は配布することができ、これまでのように印刷により隠蔽層を形成していた方法による場合に比べて遥かに安価なものとすることができる。特に、このスクラッチシール１は、上記剥離シート１に剥離可能に貼付されていることから、印刷物６に設けられた隠蔽部６ａに簡単に貼付することができ、取扱いも簡便なものとなる。
【００１８】
なお、上記実施の形態に係るスクラッチシール１は、何れも長方形状に成形されているが、本考案では、その形状が限定されるものではなく、例えば、円形状，楕円形状、三角形状等であっても良く、また、上記剥離シート２に貼付されたスクラッチシール１の全てが同一の形状に成形されている必要は無く、それぞれ異なる形状或いは大きさのものが貼付されているものであっても良い。
【図面の簡単な説明】
【００１９】
【図１】本考案の実施の形態に係るスクラッチシールが剥離シートに貼付されている状態を示す斜視図である。
【図２】スクラッチシールの断面図である。
【図３】印刷物にスクラッチシールが貼付された状態を示す平面図である。
【図４】図３に示す状態からスクラッチシールの隠蔽層が剥離された後の状態を示す平面図である。
【符号の説明】
【００２０】
１    スクラッチシール
２    剥離シート
３    基材
４    隠蔽層
５    接着層
６    印刷物
６ａ    隠蔽部
【図１】
0003108595.tif 000003
【図２】
0003108595.tif 000004
【図３】
0003108595.tif 000005
【図４】
0003108595.tif 000006